(57)【要約】異なるベンダが提供する装置や異なるジェネレーションの装置を含んだ光通信ネットワークを構築する場合に、設備費用の増大を抑制することのできる光通信装置及び光通信システムを提供する。光通信装置１０は、光信号と電気信号の相互変換を行う複数の光トランスポンダ１５ａ，１５ｂ，１５ｃ，１５ｄと、入力された光信号に対して、信号品質を低下させるノイズを付加して出力するノイズ付加部１４と、外部及びノイズ付加部１４のいずれかから入力された光信号を、少なくとも複数の光トランスポンダ１５ａ，１５ｂ，１５ｃ，１５ｄのいずれかに出力する第１光スイッチと、少なくとも複数の光トランスポンダ１５ａ，１５ｂ，１５ｃ，１５ｄのいずれかから入力された光信号を、外部及びノイズ付加部１４のいずれかに直接的又は間接的に出力する第２光スイッチと、を備える。
2018181944.tif 000002
【特許請求の範囲】
【請求項１】
光信号と電気信号の相互変換を行う複数の光トランスポンダと、
入力された光信号に対して、信号品質を低下させるノイズを付加して出力するノイズ付加部と、
外部及び前記ノイズ付加部のいずれかから入力された光信号を、少なくとも前記複数の光トランスポンダのいずれかに出力する第１光スイッチと、
少なくとも前記複数の光トランスポンダのいずれかから入力された光信号を、外部及び前記ノイズ付加部のいずれかに直接的又は間接的に出力する第２光スイッチと、
を備える光通信装置。
【請求項２】
入力された光信号を前記ノイズ付加部に出力する第３光スイッチをさらに備え、
前記第１光スイッチは、外部及び前記ノイズ付加部のいずれかから入力された光信号を、前記複数の光トランスポンダ及び前記第３光スイッチのいずれかに出力し、
前記第２光スイッチは、前記複数の光トランスポンダのいずれかから入力された光信号を、外部及び前記第３光スイッチのいずれかに出力する、
請求項１に記載の光通信装置。
【請求項３】
前記第１光スイッチは、外部及び前記ノイズ付加部のいずれかから入力された光信号を、前記複数の光トランスポンダ及び前記第２光スイッチのいずれかに出力し、
前記第２光スイッチは、前記複数の光トランスポンダ及び前記第１光スイッチのいずれかから入力された光信号を、外部及び前記ノイズ付加部のいずれかに出力する、
請求項１に記載の光通信装置。
【請求項４】
前記第１光スイッチは、
外部から入力された光信号を分岐させる複数の第１光スプリッタと、
前記ノイズ付加部から入力された光信号を、選択された出力先に出力する第４光スイッチと、
前記複数の第１光スプリッタ及び前記第４光スイッチのいずれかから入力された光信号を、少なくとも前記複数の光トランスポンダのいずれかに出力する複数の第５光スイッチと、を含む、
請求項１から３のいずれか１項に記載の光通信装置。
【請求項５】
前記第２光スイッチは、
前記複数の光トランスポンダから入力された光信号を、選択された出力先に出力する複数の第６光スイッチと、
前記複数の第６光スイッチから入力された光信号を、外部に出力する複数の第２光スプリッタと、
前記複数の第６光スイッチから入力された光信号を、前記ノイズ付加部に出力する第７光スイッチと、を含む、
請求項１から４のいずれか１項に記載の光通信装置。
【請求項６】
前記複数の光トランスポンダ、前記ノイズ付加部、前記第１光スイッチ及び前記第２光スイッチを制御するコントローラをさらに備える、
請求項１から５のいずれか１項に記載の光通信装置。
【請求項７】
請求項１から６のいずれか１項に記載の光通信装置と、
前記光通信装置を管理するマネジメント装置と、を含む光通信システムであって、
前記光通信装置は、前記複数の光トランスポンダのうち２つの光トランスポンダの一方から他方に、前記ノイズ付加部を通るように光信号を伝送して、通信品質を測定した測定結果を前記マネジメント装置に通知する、
光通信システム。
【請求項８】
請求項１から６のいずれか１項に記載の光通信装置である第１光通信装置及び第２光通信装置を含み、
前記第１光通信装置は、前記複数の光トランスポンダのうちいずれかから前記第２光通信装置に光信号を送信し、
前記第２光通信装置は、当該光信号を、前記ノイズ付加部を通るように伝送し、前記複数の光トランスポンダのうちいずれかによって受信し、
前記第１光通信装置及び前記第２光通信装置は、通信品質を測定した測定結果をそれぞれ前記マネジメント装置に通知する、
請求項７に記載の光通信システム。
【請求項９】
前記第１光通信装置及び前記第２光通信装置は、通信品質を測定する前記複数の光トランスポンダの組合せを、予め定められた周期で更新して、それぞれ通信品質の測定を行い、
前記第１光通信装置及び前記第２光通信装置は、通信品質を測定した測定結果をそれぞれ前記マネジメント装置に通知する、
請求項８に記載の光通信システム。
【請求項１０】
前記マネジメント装置は、
前記複数の光トランスポンダのうち通信品質の測定が既に行われている光トランスポンダの種類の組合せを、当該組合せに関する通信品質の測定結果とともに記憶する記憶部と、
前記第１光通信装置から前記第２光通信装置へ光信号を伝送する場合における経路の伝送特性を算出する算出部と、
前記第１光通信装置の光トランスポンダと前記第２光通信装置の光トランスポンダの組合せが、通信品質の測定が既に行われている光トランスポンダの種類の組合せである場合に、前記記憶部に記憶された通信品質の測定結果と、前記算出部により算出された前記伝送特性とに基づいて通信品質を推定する推定部と、を備える、
請求項８又は９に記載の光通信システム。
【請求項１１】
前記マネジメント装置は、
前記複数の光トランスポンダのうち通信品質の測定が行われていない光トランスポンダの種類の組合せを抽出する抽出部をさらに備え、
前記抽出部により抽出された光トランスポンダの種類の組合せについて、前記第１光通信装置及び前記第２光通信装置の一方又は両方に対して、通信品質の測定を行わせて、当該通信品質の測定結果を前記記憶部に記憶する、
請求項１０に記載の光通信システム。
【発明の詳細な説明】
【技術分野】
【０００１】
本発明は、光通信装置及び光通信システムに関する。
【背景技術】
【０００２】
従来、光通信ネットワークは、単一ベンダが提供する単一ジェネレーションの装置によって構築されることがあり、異なるベンダが提供する装置や異なるジェネレーションの装置を含むネットワークは、異なるネットワークドメインとして扱われることがあった。【０００３】
下記非特許文献１には、異なるベンダの装置や、異なるジェネレーションの装置を単一ドメインの光通信ネットワークに含めて運用するディスアグリゲート・システムが記載されている。
【先行技術文献】
【非特許文献】
【０００４】
【非特許文献１】M. D. Leenheere, et al., “Open and Programmable Metro Networks,” in Proc. OFC 2016, Paper Th1A.7
【発明の概要】
【発明が解決しようとする課題】
【０００５】
単一ベンダ、単一ジェネレーションの装置によって光通信ネットワークを構築する場合、実際には使用しない機能をも有する多機能な装置を導入せざるを得ないことがあり、光通信ネットワークを構築するための設備費用が増大することがあった。この点、異なるベンダが提供する装置や異なるジェネレーションの装置を光通信ネットワークに含めることを許容することで、用途に応じて必要十分な機能を有する装置を導入することが可能となり、光通信ネットワークを構築するための設備費用が低減される。【０００６】
しかしながら、異なるベンダが提供する装置や異なるジェネレーションの装置を光通信ネットワークに含めると、通信が行われる装置のベンダの組合せやジェネレーションの組合せが著しく増加し、装置間の通信品質を保証することが困難となる。ここで、どのような装置の組合せであっても通信品質が一定以上になるように、全ての装置の通信性能を十分に高くすることが考えられるが、そのような装置を導入することとすると、設備費用が増大し、異なるベンダが提供する装置や異なるジェネレーションの装置を光通信ネットワークに含める利点が損なわれる。【０００７】
そこで、本発明は、異なるベンダが提供する装置や異なるジェネレーションの装置を含んだ光通信ネットワークを構築する場合に、設備費用の増大を抑制することのできる光通信装置及び光通信システムを提供することを目的とする。
【課題を解決するための手段】
【０００８】
本発明の一態様に係る光通信装置は、光信号と電気信号の相互変換を行う複数の光トランスポンダと、入力された光信号に対して、信号品質を低下させるノイズを付加して出力するノイズ付加部と、外部及びノイズ付加部のいずれかから入力された光信号を、少なくとも複数の光トランスポンダのいずれかに出力する第１光スイッチと、少なくとも複数の光トランスポンダのいずれかから入力された光信号を、外部及びノイズ付加部のいずれかに直接的又は間接的に出力する第２光スイッチと、を備える。【０００９】
この態様によれば、ノイズ付加部によって、複数の光トランスポンダの間で伝送される光信号に意図的にノイズを付加することで、異なるベンダが提供する装置や異なるジェネレーションの装置を含んだ光通信ネットワークを構築した場合に、通信品質をオンデマンドで測定することができる。そのため、通信品質が一定以上となる装置の組み合わせを特定することができ、様々な性能の装置を導入することが許容されるため、設備費用の増大を抑制することができる。【００１０】
上記態様において、入力された光信号をノイズ付加部に出力する第３光スイッチをさらに備え、第１光スイッチは、外部及びノイズ付加部のいずれかから入力された光信号を、複数の光トランスポンダ及び第３光スイッチのいずれかに出力し、第２光スイッチは、複数の光トランスポンダのいずれかから入力された光信号を、外部及び第３光スイッチのいずれかに出力してもよい。【００１１】
この態様によれば、第１光スイッチから光信号が入力される第３光スイッチを備えることで、外部から入力された光信号にノイズを付加して、光トランスポンダに伝送することができる。そのため、２台以上の光通信装置にそれぞれ含まれる光トランスポンダ間の通信品質の測定が容易に行える。【００１２】
上記態様において、第１光スイッチは、外部及びノイズ付加部のいずれかから入力された光信号を、複数の光トランスポンダ及び第２光スイッチのいずれかに出力し、第２光スイッチは、複数の光トランスポンダ及び第１光スイッチのいずれかから入力された光信号を、外部及びノイズ付加部のいずれかに出力してもよい。【００１３】
この態様によれば、第１光スイッチが第２光スイッチに光信号を出力することで、第１光スイッチ及び第２光スイッチ以外に独立した光スイッチを増設せずに、ノイズ付加部によって光信号にノイズを付加して光トランスポンダに伝送することができる。そのため、２台以上の光通信装置にそれぞれ含まれる光トランスポンダ間の通信品質の測定が容易に行え、部品点数の増加を抑えることができる。【００１４】
上記態様において、第１光スイッチは、外部から入力された光信号を分岐させる複数の第１光スプリッタと、ノイズ付加部から入力された光信号を、選択された出力先に出力する第４光スイッチと、複数の第１光スプリッタ及び第４光スイッチのいずれかから入力された光信号を、少なくとも複数の光トランスポンダのいずれかに出力する複数の第５光スイッチと、を含んでもよい。【００１５】
この態様によれば、ノイズ付加部から第１光スイッチに入力された光信号を、第４光スイッチから複数の第５光スイッチに振り分けることで、光スプリッタから複数の第５光スイッチに振り分ける場合よりも、光信号が光スプリッタを通過する回数を低減することができ、ノイズ付加部によるノイズ付加の許容量が増加する。そのため、２台以上の光通信装置にそれぞれ含まれる光トランスポンダ間の通信品質の測定に用いることのできるノイズ付加のマージンが増加し、通信品質の測定をより柔軟に行うことができる。【００１６】
上記態様において、第２光スイッチは、複数の光トランスポンダから入力された光信号を、選択された出力先に出力する複数の第６光スイッチと、複数の第６光スイッチから入力された光信号を、外部に出力する複数の第２光スプリッタと、複数の第６光スイッチから入力された光信号を、ノイズ付加部に出力する第７光スイッチと、を含んでもよい。【００１７】
この態様によれば、光トランスポンダから第２光スイッチに入力された光信号を、第７光スイッチからノイズ付加部に伝送することで、第２光スプリッタからノイズ付加部に伝送する場合よりも、光信号が光スプリッタを通過する回数を低減することができ、ノイズ付加部によるノイズ付加の許容量が増加する。そのため、２台以上の光通信装置にそれぞれ含まれる光トランスポンダ間の通信品質の測定に用いることのできるノイズ付加のマージンが増加し、通信品質の測定をより柔軟に行うことができる。【００１８】
上記態様において、複数の光トランスポンダ、ノイズ付加部、第１光スイッチ及び第２光スイッチを制御するコントローラをさらに備えてもよい。【００１９】
この態様によれば、コントローラによってノイズ付加部等を制御することで、光通信装置が備える複数の光トランスポンダ間の通信品質を自律的に測定することができる。【００２０】
本発明の一態様に係る光通信システムは、上記いずれかの態様に記載の光通信装置と、光通信装置を管理するマネジメント装置と、を含む光通信システムであって、光通信装置は、複数の光トランスポンダのうち２つの光トランスポンダの一方から他方に、ノイズ付加部を通るように光信号を伝送して、通信品質を測定した測定結果をマネジメント装置に通知する。【００２１】
この態様によれば、光通信装置が備える複数の光トランスポンダ間の通信品質を測定した測定結果をマネジメント装置によってまとめて管理することができ、他の光通信装置において同様の光トランスポンダ間に関する通信品質の確認が要求された場合に、測定結果を流用して通信品質の確認を効率化することができる。【００２２】
上記態様において、上記いずれかの態様に記載の光通信装置である第１光通信装置及び第２光通信装置を含み、第１光通信装置は、複数の光トランスポンダのうちいずれかから第２光通信装置に光信号を送信し、第２光通信装置は、当該光信号を、ノイズ付加部を通るように伝送し、複数の光トランスポンダのうちいずれかによって受信し、第１光通信装置及び第２光通信装置は、通信品質を測定した測定結果をそれぞれマネジメント装置に通知してもよい。【００２３】
この態様によれば、光通信装置のペアがそれぞれ備える複数の光トランスポンダ間の通信品質を測定した測定結果をマネジメント装置によってまとめて管理することができ、他の光通信装置ペアにおいて同様の光トランスポンダ間に関する通信品質の確認が要求された場合に、測定結果を流用して通信品質の確認を効率化することができる。また、受信側の光通信装置においてノイズを付加することで、送信側の光通信装置においてノイズを付加する場合よりも通信品質の測定処理を簡素化できる。【００２４】
上記態様において、第１光通信装置及び第２光通信装置は、通信品質を測定する複数の光トランスポンダの組合せを、予め定められた周期で更新して、それぞれ通信品質の測定を行い、第１光通信装置及び第２光通信装置は、通信品質を測定した測定結果をそれぞれマネジメント装置に通知してもよい。【００２５】
この態様によれば、光通信装置のペアがそれぞれ自律的に通信品質を測定する光トランスポンダのペアの更新を行い、測定結果をまとめてマネジメント装置に通知することで、マネジメント装置の処理負荷及び通信負荷を軽減することができる。【００２６】
上記態様において、マネジメント装置は、複数の光トランスポンダのうち通信品質の測定が既に行われている光トランスポンダの種類の組合せを、当該組合せに関する通信品質の測定結果とともに記憶する記憶部と、第１光通信装置から第２光通信装置へ光信号を伝送する場合における経路の伝送特性を算出する算出部と、第１光通信装置の光トランスポンダと第２光通信装置の光トランスポンダの組合せが、通信品質の測定が既に行われている光トランスポンダの種類の組合せである場合に、記憶部に記憶された通信品質の測定結果と、算出部により算出された伝送特性とに基づいて通信品質を推定する推定部と、を備えてもよい。【００２７】
この態様によれば、通信品質の測定が既に行われている光トランスポンダの種類の組み合わせが、通信品質の測定を行った際と異なるネットワーク構造を介して接続されている場合であっても、通信品質の推定を行うことができる。そのため、異なるネットワーク構造毎に通信品質の測定を行わずともよく、通信品質の測定処理を実行する回数を低減することができ、光通信装置及びマネジメント装置の演算負荷や通信負荷を低減することができる。【００２８】
上記態様において、マネジメント装置は、複数の光トランスポンダのうち通信品質の測定が行われていない光トランスポンダの種類の組合せを抽出する抽出部をさらに備え、抽出部により抽出された光トランスポンダの種類の組合せについて、第１光通信装置及び第２光通信装置の一方又は両方に対して、通信品質の測定を行わせて、当該通信品質の測定結果を記憶部に記憶してもよい。【００２９】
この態様によれば、通信品質の測定が行われていない光トランスポンダの種類の組み合わせを減少させることができ、通信品質の推定を行うことのできる光トランスポンダの種類の組み合わせを増加させることができるため、通信品質の測定処理を実行する回数を低減することができ、光通信装置及びマネジメント装置の演算負荷や通信負荷を低減することができる。
【発明の効果】
【００３０】
本発明によれば、異なるベンダが提供する装置や異なるジェネレーションの装置を含んだ光通信ネットワークを構築する場合に、設備費用の増大を抑制することのできる光通信装置及び光通信システムを提供することができる。
【図面の簡単な説明】
【００３１】
【図１】本発明の実施形態に係る光通信システムの概要を示す図である。
【図２】本発明の実施形態に係る光通信装置の構成の第１例を示す図である。
【図３】本発明の実施形態に係る光通信装置の構成の第２例を示す図である。
【図４】本発明の実施形態に係る光通信装置の構成の第３例を示す図である。
【図５】本発明の実施形態に係る光通信装置の構成の第４例を示す図である。
【図６】本発明の実施形態に係る光通信装置の構成の第５例を示す図である。
【図７】本発明の実施形態に係るマネジメント装置の機能ブロックを示す図である。
【図８】本発明の実施形態に係る光通信システムにより実行される第１処理のフローチャートである。
【図９】本発明の実施形態に係る光通信システムにより実行される第２処理のフローチャートである。
【図１０】本発明の実施形態に係る光通信システムにより実行される第３処理のフローチャートである。
【図１１】本発明の実施形態に係る光通信システムにより実行される第４処理のフローチャートである。
【図１２】本発明の実施形態に係る光通信システムにより実行される第５処理のフローチャートである。
【発明を実施するための形態】
【００３２】
添付図面を参照して、本発明の実施形態について説明する。なお、各図において、同一の符号を付したものは、同一又は同様の構成を有する。
【００３３】
図１は、本発明の実施形態に係る光通信システム１の概要を示す図である。光通信システム１は、複数の光通信装置１０と、光通信装置１０を管理するマネジメント装置１００と、を含む。本例では、複数の光通信装置１０は、光ファイバＦで接続されて、光信号を送受信する。光通信装置１０は、コントローラ１１、方路選択光スイッチ１２、トランスポンダ集約光スイッチ１３、ノイズ付加部１４及びトランスポンダバンク１５を備える。コントローラ１１は、方路選択光スイッチ１２、トランスポンダ集約光スイッチ１３、ノイズ付加部１４及びトランスポンダバンク１５を制御する。方路選択光スイッチ１２は、光ファイバＦから入力された光信号をトランスポンダ集約光スイッチ１３の所定のポートに出力し、トランスポンダ集約光スイッチ１３から入力された光信号を光ファイバＦに出力する。方路選択光スイッチ１２は、例えば、波長選択光スイッチ、光スプリッタ、光スイッチ等で構成されてよい。ノイズ付加部１４は、入力された光信号に対して、信号品質を低下させるノイズを付加して出力する。ここで、ノイズの付加は、光強度のロス付加、ＡＳＥ（Amplified Spontaneous Emission）付加、波長分散付加、偏波分散付加、ＰＤＬ（Polarization Dependent Loss）付加、帯域狭窄等を単一で行うものであってもよいし、組み合わせて行うものであってもよい。トランスポンダバンク１５は、第１光トランスポンダ１５ａ、第２光トランスポンダ１５ｂ、第３光トランスポンダ１５ｃ及び第４光トランスポンダ１５ｄを含む。本例のトランスポンダバンク１５は、４つの光トランスポンダを含むが、トランスポンダバンク１５が含む光トランスポンダの数は任意である。光トランスポンダは、光信号と電気信号の相互変換を行う。なお、同図では光トランスポンダに入出力される光信号を図示しており、電気信号の入出力については図示を省略しているが、光トランスポンダは、Ｅｔｈｅｒスイッチ等と接続するためのクライアント側ポートを有してよい。
【００３４】
マネジメント装置１００は、光通信装置１０のコントローラ１１に対して光信号の伝送経路を制御するための信号を送信したり、光通信装置１０から通信品質の測定結果を受信したりする。本例のマネジメント装置１００は、ＮＭＳ（Network Management System）と表されている。なお、同図では、複数の光通信装置１０が直列的に光ファイバＦで接続され、それぞれマネジメント装置１００と接続されている例を示しているが、光通信システム１の構成はこれに限られない。複数の光通信装置１０により構成されるネットワークは、任意の構造を有してよいし、マネジメント装置１００は、必ずしも全ての光通信装置１０を制御しなくてもよい。
【００３５】
異なるベンダが提供する装置や異なるジェネレーションの装置を含んだ光通信ネットワークを構成する例として、光通信装置１０に異なるベンダが提供する光トランスポンダや異なるジェネレーションの光トランスポンダを含める場合が挙げられる。このような場合、光通信装置１０に含まれる複数の光トランスポンダの間で光信号の送受信を行い、通信品質の測定を行って、所定の通信品質の基準を満足するか確認することとなる。なお、通信品質の測定は、ノイズ付加部１４によりＯＳＮＲ（Optical Signal to Noise Ratio）を変化させながら、光トランスポンダが備えるビットエラーレート測定機能等を用いて測定を行ってもよいし、外部測定装置により測定を行ってもよい。
【００３６】
また、異なるベンダが提供する装置や異なるジェネレーションの装置を含んだ光通信ネットワークを構成する他の例として、個々の光通信装置１０に含まれる複数の光トランスポンダのベンダ及びジェネレーションは統一されているが、複数の光通信装置１０を比較すると、含まれている光トランスポンダのベンダやジェネレーションが異なっている場合が挙げられる。このような場合、複数の光通信装置１０の間で光信号の送受信を行い、通信品質の測定を行って、所定の通信品質の基準を満足するか確認することとなる。この場合も、通信品質の測定は、ノイズ付加部１４によりＯＳＮＲ（Optical Signal to Noise Ratio）を変化させながら、光トランスポンダが備えるビットエラーレート測定機能等を用いて測定を行ってもよいし、外部測定装置により測定を行ってもよい。
【００３７】
図２は、本発明の実施形態に係る光通信装置１０の構成の第１例を示す図である。同図では、光通信装置１０が備えるコントローラ１１の図示を省略している。以下で説明する光通信装置１０の構成の第１例から第５例は、トランスポンダ集約光スイッチ１３の内部構成及び第３光スイッチ１８の有無について相違しており、方路選択光スイッチ１２、ノイズ付加部１４及びトランスポンダバンク１５の構成については共通する。
【００３８】
本例の光通信装置１０は、トランスポンダ集約光スイッチ１３の内部構成として、外部及びノイズ付加部１４のいずれかから入力された光信号を、少なくとも複数の光トランスポンダのいずれかに出力する第１光スイッチ１６と、少なくとも複数の光トランスポンダのいずれかから入力された光信号を、外部及びノイズ付加部１４のいずれかに直接的又は間接的に出力する第２光スイッチ１７と、を備える。より詳しくは、第１光スイッチ１６は、外部及びノイズ付加部１４のいずれかから入力された光信号を、複数の光トランスポンダ及び第３光スイッチ１８のいずれかに出力し、第２光スイッチ１７は、複数の光トランスポンダのいずれかから入力された光信号を、外部及び第３光スイッチ１８のいずれかに出力する。ここで、外部から入力された光信号とは、方路選択光スイッチ１２を介して、外部接続された光ファイバＦ（図１参照）から入力された光信号である。また、光信号を、外部に直接的又は間接的に出力とは、方路選択光スイッチ１２を介して、外部接続された光ファイバＦに光信号を出力することである。
【００３９】
本例では、第１光スイッチ１６は、外部及びノイズ付加部１４のいずれかから入力された光信号を分岐させる複数の第１光スプリッタ１６ａと、複数の第１光スプリッタ１６ａから入力された光信号を、少なくとも複数の光トランスポンダのいずれかに出力する複数の第５光スイッチ１６ｂと、を含む。複数の第１光スプリッタ１６ａは、図２において丸で図示され、外部から入力された光信号、すなわち、方路選択光スイッチ１２を介して外部接続された光ファイバＦから入力された光信号を、分岐させて複数の第５光スイッチ１６ｂに出力する。複数の第５光スイッチ１６ｂは、同図において四角で図示され、入力された光信号を、対応する光トランスポンダ又は第３光スイッチ１８に対して出力する。ここで、複数の第５光スイッチ１６ｂは、コントローラ１１から受信する制御信号に基づいて、光信号を光トランスポンダ又は第３光スイッチ１８に対して出力したり、出力しなかったりする。このようにして、外部接続された光ファイバＦから入力された光信号を、第１光トランスポンダ１５ａ、第２光トランスポンダ１５ｂ、第３光トランスポンダ１５ｃ、第４光トランスポンダ１５ｄ及び第３光スイッチ１８に対して選択的に出力する。
【００４０】
本例では、第２光スイッチ１７は、複数の光トランスポンダから入力された光信号を、選択された出力先に出力する複数の第６光スイッチ１７ｂと、複数の第６光スイッチ１７ｂから入力された光信号を、外部、ノイズ付加部１４及び第３光スイッチ１８のいずれかに出力する複数の第２光スプリッタ１７ａと、を含む。複数の第６光スイッチ１７ｂは、同図において四角で図示され、第１光トランスポンダ１５ａ、第２光トランスポンダ１５ｂ、第３光トランスポンダ１５ｃ及び第４光トランスポンダ１５ｄのいずれかから入力された光信号を、コントローラ１１から受信する制御信号に基づいて、複数の第２光スプリッタ１７ａのいずれかに出力したり、出力しなかったりする。複数の第２光スプリッタ１７ａは、同図において丸で図示され、複数の第６光スイッチ１７ｂから入力された光信号を、方路選択光スイッチ１２、ノイズ付加部１４及び第３光スイッチ１８のいずれかに出力する。
【００４１】
一例として、光通信装置１０が備える第１光トランスポンダ１５ａと、第２光トランスポンダ１５ｂとの間で通信品質の測定を行う場合について説明する。第１光トランスポンダ１５ａから出力された光信号は、複数の第６光スイッチ１７ｂのうちの１つ（同図において左から２番目に図示された光スイッチ）に入力され、複数の第２光スプリッタ１７ａのうちの１つ（同図において最も左に図示された光スプリッタ）に伝送され、当該光スプリッタから第３光スイッチ１８に入力される。第３光スイッチ１８は、入力された光信号をノイズ付加部１４に出力する。ノイズ付加部１４は、入力された光信号に対して、信号品質を低下させるノイズを付加して、複数の第１光スプリッタ１６ａのうちの１つ（同図において最も右に図示された光スプリッタ）に出力する。ノイズが付加された光信号は、当該光スプリッタから複数の第５光スイッチ１６ｂに伝送されて、複数の第５光スイッチ１６ｂのうちの１つ（同図において左から２番目に図示された光スイッチ）から第２光トランスポンダ１５ｂに出力される。光通信装置１０のコントローラ１１は、第１光トランスポンダ１５ａによって送信した光信号と、ノイズ付加部１４によって付加したノイズと、第２光トランスポンダ１５ｂで受信した光信号とを比較して、通信品質に関する所定の基準に対してどの程度のマージンが確保できているかを測定し、第１光トランスポンダ１５ａと第２光トランスポンダ１５ｂとの間における通信品質の測定を行う。ここでは、第１光トランスポンダ１５ａと、第２光トランスポンダ１５ｂとの間で通信品質の測定を行う場合について説明したが、同様にして、任意の光トランスポンダの間で通信品質の測定を行うことができる。また、複数の光トランスポンダのペアについて、同時に通信品質の測定を行うこともできるし、１つの光トランスポンダから送信された光信号を、複数の光トランスポンダで受信して、１対多の通信品質を測定することもできる。
【００４２】
本実施形態に係る光通信装置１０によれば、ノイズ付加部１４によって、複数の光トランスポンダの間で伝送される光信号に意図的にノイズを付加することで、異なるベンダが提供する装置や異なるジェネレーションの装置を含んだ光通信ネットワークを構築した場合に、通信品質をオンデマンドで測定することができる。そのため、通信品質が一定以上となる装置の組み合わせを特定することができ、様々な性能の装置を導入することが許容されるため、設備費用の増大を抑制することができる。
【００４３】
コントローラ１１は、複数の光トランスポンダ、ノイズ付加部１４、第１光スイッチ１６及び第２光スイッチ１７を制御する。光通信装置１０は、コントローラ１１を備えることで、複数の光トランスポンダ間の通信品質を自律的に測定することができる。
【００４４】
次に、他の例として、他の光通信装置１０が備える光トランスポンダと、光通信装置１０が備える第１光トランスポンダ１５ａとの間で通信品質の測定を行う場合について説明する。他の光通信装置１０が備える光トランスポンダから出力された光信号は、光ファイバＦ（図１参照）によって伝送され、方路選択光スイッチ１２によって第１光スイッチ１６の複数の第１光スプリッタ１６ａのうちのいずれかに入力される。当該入力を受けた第１光スプリッタ１６ａは、光信号を複数の第５光スイッチ１６ｂに出力する。複数の第５光スイッチ１６ｂのうちの１つ（図２において最も右に図示された光スプリッタ）は、入力された光信号を第３光スイッチ１８に出力し、第３光スイッチ１８は、入力された光信号をノイズ付加部１４に出力する。ノイズ付加部１４は、入力された光信号に対して、信号品質を低下させるノイズを付加して、複数の第１光スプリッタ１６ａのうちの１つ（同図において最も右に図示された光スプリッタ）に出力する。ノイズが付加された光信号は、当該光スプリッタから複数の第５光スイッチ１６ｂに伝送されて、複数の第５光スイッチ１６ｂのうちの１つ（同図において最も左に図示された光スイッチ）から第１光トランスポンダ１５ａに出力される。光通信装置１０のコントローラ１１は、他の光通信装置１０の備える光トランスポンダによって送信された光信号と、ノイズ付加部１４によって付加したノイズと、第１光トランスポンダ１５ａで受信した光信号とを比較して、通信品質に関する所定の基準に対してどの程度のマージンが確保できているかを測定し、他の光通信装置１０の備える光トランスポンダと第１光トランスポンダ１５ａとの間における通信品質の測定を行う。ここでは、他の光通信装置１０の備える光トランスポンダと第１光トランスポンダ１５ａとの間で通信品質の測定を行う場合について説明したが、同様にして、他の光通信装置１０の備える光トランスポンダと任意の光トランスポンダの間で通信品質の測定を行うことができる。また、複数の光トランスポンダのペアについて、同時に通信品質の測定を行うこともできるし、１つの光トランスポンダから送信された光信号を、複数の光トランスポンダで受信して、１対多の通信品質を測定することもできる。
【００４５】
本実施形態に係る光通信装置１０によれば、第１光スイッチ１６から光信号が入力される第３光スイッチ１８を備えることで、外部から入力された光信号にノイズを付加して、光トランスポンダに伝送することができる。そのため、２台以上の光通信装置１０にそれぞれ含まれる光トランスポンダ間の通信品質の測定が容易に行える。
【００４６】
図３は、本発明の実施形態に係る光通信装置１０の構成の第２例を示す図である。本例の光通信装置１０は、第３光スイッチ１８を備えず、トランスポンダ集約光スイッチ１３の内部構成が異なる点で、第１例の場合と相違する。本例の第１光スイッチ１６は、外部及びノイズ付加部１４のいずれかから入力された光信号を、複数の光トランスポンダ及び第２光スイッチ１７のいずれかに出力し、第２光スイッチ１７は、複数の光トランスポンダ及び第１光スイッチ１６のいずれかから入力された光信号を、外部及びノイズ付加部１４のいずれかに出力する。
【００４７】
本例では、第１光スイッチ１６は、外部及びノイズ付加部１４のいずれかから入力された光信号を分岐させる複数の第１光スプリッタ１６ａと、複数の第１光スプリッタ１６ａから入力された光信号を、複数の光トランスポンダ及び第２光スイッチ１７のいずれかに出力する複数の第５光スイッチ１６ｂと、を含む。複数の第１光スプリッタ１６ａは、同図において丸で図示され、外部から入力された光信号、すなわち、方路選択光スイッチ１２を介して外部接続された光ファイバＦから入力された光信号を、分岐させて複数の第５光スイッチ１６ｂに出力する。複数の第５光スイッチ１６ｂは、同図において四角で図示され、入力された光信号を、対応する光トランスポンダ又は第２光スイッチ１７に対して出力する。ここで、複数の第５光スイッチ１６ｂは、コントローラ１１から受信する制御信号に基づいて、光信号を光トランスポンダ又は第２光スイッチ１７に対して出力したり、出力しなかったりする。このようにして、外部接続された光ファイバＦから入力された光信号を、第１光トランスポンダ１５ａ、第２光トランスポンダ１５ｂ、第３光トランスポンダ１５ｃ、第４光トランスポンダ１５ｄ及び第２光スイッチ１７に対して選択的に出力する。
【００４８】
本例では、第２光スイッチ１７は、複数の光トランスポンダ及び第１光スイッチ１６のいずれかから入力された光信号を、選択された出力先に出力する複数の第６光スイッチ１７ｂ及び第８光スイッチ１７ｃと、複数の第６光スイッチ１７ｂ及び第８光スイッチ１７ｃから入力された光信号を、外部及びノイズ付加部１４のいずれかに出力する複数の第２光スプリッタ１７ａと、を含む。複数の第６光スイッチ１７ｂ及び第８光スイッチ１７ｃは、同図において四角で図示され、第１光トランスポンダ１５ａ、第２光トランスポンダ１５ｂ、第３光トランスポンダ１５ｃ、第４光トランスポンダ１５ｄ及び第１光スイッチ１６のいずれかから入力された光信号を、コントローラ１１から受信する制御信号に基づいて、複数の第２光スプリッタ１７ａのいずれかに出力したり、出力しなかったりする。複数の第２光スプリッタ１７ａは、同図において丸で図示され、複数の第６光スイッチ１７ｂ及び第８光スイッチ１７ｃから入力された光信号を、方路選択光スイッチ１２及びノイズ付加部１４のいずれかに出力する。
【００４９】
一例として、光通信装置１０が備える第１光トランスポンダ１５ａと、第２光トランスポンダ１５ｂとの間で通信品質の測定を行う場合について説明する。第１光トランスポンダ１５ａから出力された光信号は、複数の第６光スイッチ１７ｂのうちの１つ（同図において左から２番目に図示された光スイッチ）に入力され、複数の第２光スプリッタ１７ａのうちの１つ（同図において最も左に図示された光スプリッタ）に伝送され、当該光スプリッタからノイズ付加部１４に入力される。ノイズ付加部１４は、入力された光信号に対して、信号品質を低下させるノイズを付加して、複数の第１光スプリッタ１６ａのうちの１つ（同図において最も右に図示された光スプリッタ）に出力する。ノイズが付加された光信号は、当該光スプリッタから複数の第５光スイッチ１６ｂに伝送されて、複数の第５光スイッチ１６ｂのうちの１つ（同図において左から２番目に図示された光スイッチ）から第２光トランスポンダ１５ｂに出力される。光通信装置１０のコントローラ１１は、第１光トランスポンダ１５ａによって送信した光信号と、ノイズ付加部１４によって付加したノイズと、第２光トランスポンダ１５ｂで受信した光信号とを比較して、通信品質に関する所定の基準に対してどの程度のマージンが確保できているかを測定し、第１光トランスポンダ１５ａと第２光トランスポンダ１５ｂとの間における通信品質の測定を行う。
【００５０】
次に、他の例として、他の光通信装置１０が備える光トランスポンダと、光通信装置１０が備える第１光トランスポンダ１５ａとの間で通信品質の測定を行う場合について説明する。他の光通信装置１０が備える光トランスポンダから出力された光信号は、光ファイバＦ（図１参照）によって伝送され、方路選択光スイッチ１２によって第１光スイッチ１６の複数の第１光スプリッタ１６ａのうちのいずれかに入力される。当該入力を受けた第１光スプリッタ１６ａは、光信号を複数の第５光スイッチ１６ｂに出力する。複数の第５光スイッチ１６ｂのうちの１つ（図３において最も右に図示された光スプリッタ）は、入力された光信号を第２光スイッチ１７に含まれる第８光スイッチ１７ｃに出力し、第８光スイッチ１７ｃは、入力された光信号を複数の第２光スプリッタ１７ａのうちの１つ（同図において最も左に図示された光スプリッタ）に出力する。光信号は、当該光スプリッタからノイズ付加部１４に入力され、ノイズ付加部１４は、入力された光信号に対して、信号品質を低下させるノイズを付加して、複数の第１光スプリッタ１６ａのうちの１つ（同図において最も右に図示された光スプリッタ）に出力する。ノイズが付加された光信号は、当該光スプリッタから複数の第５光スイッチ１６ｂに伝送されて、複数の第５光スイッチ１６ｂのうちの１つ（同図において最も左に図示された光スイッチ）から第１光トランスポンダ１５ａに出力される。光通信装置１０のコントローラ１１は、他の光通信装置１０の備える光トランスポンダによって送信された光信号と、ノイズ付加部１４によって付加したノイズと、第１光トランスポンダ１５ａで受信した光信号とを比較して、通信品質に関する所定の基準に対してどの程度のマージンが確保できているかを測定し、他の光通信装置１０の備える光トランスポンダと第１光トランスポンダ１５ａとの間における通信品質の測定を行う。ここでは、他の光通信装置１０の備える光トランスポンダと第１光トランスポンダ１５ａとの間で通信品質の測定を行う場合について説明したが、同様にして、他の光通信装置１０の備える光トランスポンダと任意の光トランスポンダの間で通信品質の測定を行うことができる。また、複数の光トランスポンダのペアについて、同時に通信品質の測定を行うこともできるし、１つの光トランスポンダから送信された光信号を、複数の光トランスポンダで受信して、１対多の通信品質を測定することもできる。
【００５１】
本実施形態に係る光通信装置１０によれば、第１光スイッチ１６が第２光スイッチ１７に光信号を出力することで、第１光スイッチ１６及び第２光スイッチ１７以外に独立した光スイッチを増設せずに、ノイズ付加部によって光信号にノイズを付加して光トランスポンダに伝送することができる。そのため、２台以上の光通信装置にそれぞれ含まれる光トランスポンダ間の通信品質の測定が容易に行え、部品点数の増加を抑えることができる。
【００５２】
図４は、本発明の実施形態に係る光通信装置１０の構成の第３例を示す図である。本例の光通信装置１０は、トランスポンダ集約光スイッチ１３の内部構成が異なる点で、第１例の場合と相違する。本例の第１光スイッチ１６は、ノイズ付加部１４から入力された光信号を、選択された出力先に出力する第４光スイッチ１６ｃを含む。
【００５３】
本例では、第１光スイッチ１６は、外部及びノイズ付加部１４のいずれかから入力された光信号を分岐させる複数の第１光スプリッタ１６ａと、ノイズ付加部１４から入力された光信号を、選択された出力先に出力する第４光スイッチ１６ｃと、複数の第１光スプリッタ１６ａ及び第４光スイッチ１６ｃのいずれかから入力された光信号を、複数の光トランスポンダ及び第２光スイッチ１７のいずれかに出力する複数の第５光スイッチ１６ｂと、を含む。複数の第１光スプリッタ１６ａは、同図において丸で図示され、外部から入力された光信号、すなわち、方路選択光スイッチ１２を介して外部接続された光ファイバＦから入力された光信号を、分岐させて複数の第５光スイッチ１６ｂに出力する。第４光スイッチ１６ｃは、同図において四角で図示される。複数の第５光スイッチ１６ｂは、同図において四角で図示され、入力された光信号を、対応する光トランスポンダ又は第２光スイッチ１７に対して出力する。ここで、複数の第５光スイッチ１６ｂは、コントローラ１１から受信する制御信号に基づいて、光信号を光トランスポンダ又は第３光スイッチ１８に対して出力したり、出力しなかったりする。このようにして、外部接続された光ファイバＦ（図１参照）から入力された光信号を、第１光トランスポンダ１５ａ、第２光トランスポンダ１５ｂ、第３光トランスポンダ１５ｃ、第４光トランスポンダ１５ｄ及び第３光スイッチ１８に対して選択的に出力する。
【００５４】
本例では、第２光スイッチ１７は、複数の光トランスポンダ及び第１光スイッチ１６のいずれかから入力された光信号を、選択された出力先に出力する複数の第６光スイッチ１７ｂと、複数の第６光スイッチ１７ｂから入力された光信号を、外部及び第３光スイッチ１８のいずれかに出力する複数の第２光スプリッタ１７ａと、を含む。複数の第６光スイッチ１７ｂは、図４において四角で図示され、第１光トランスポンダ１５ａ、第２光トランスポンダ１５ｂ、第３光トランスポンダ１５ｃ及び第４光トランスポンダ１５ｄのいずれかから入力された光信号を、コントローラ１１から受信する制御信号に基づいて、複数の第２光スプリッタ１７ａのいずれかに出力したり、出力しなかったりする。複数の第２光スプリッタ１７ａは、同図において丸で図示され、複数の第６光スイッチ１７ｂ及び第８光スイッチ１７ｃから入力された光信号を、方路選択光スイッチ１２及び第３光スイッチ１８のいずれかに出力する。
【００５５】
一例として、光通信装置１０が備える第１光トランスポンダ１５ａと、第２光トランスポンダ１５ｂとの間で通信品質の測定を行う場合について説明する。第１光トランスポンダ１５ａから出力された光信号は、複数の第６光スイッチ１７ｂのうちの１つ（同図において左から２番目に図示された光スイッチ）に入力され、複数の第２光スプリッタ１７ａのうちの１つ（同図において最も左に図示された光スプリッタ）に伝送され、当該光スプリッタから第３光スイッチ１８に入力される。第３光スイッチ１８は、入力された光信号をノイズ付加部１４に出力する。ノイズ付加部１４は、入力された光信号に対して、信号品質を低下させるノイズを付加して、第４光スイッチ１６ｃに出力する。ノイズが付加された光信号は、第４光スイッチ１６ｃから複数の第５光スイッチ１６ｂのうちの１つ（同図において左から２番目に図示された光スイッチ）に伝送されて、当該第５光スイッチ１６ｂから第２光トランスポンダ１５ｂに出力される。光通信装置１０のコントローラ１１は、第１光トランスポンダ１５ａによって送信した光信号と、ノイズ付加部１４によって付加したノイズと、第２光トランスポンダ１５ｂで受信した光信号とを比較して、通信品質に関する所定の基準に対してどの程度のマージンが確保できているかを測定し、第１光トランスポンダ１５ａと第２光トランスポンダ１５ｂとの間における通信品質の測定を行う。ここでは、第１光トランスポンダ１５ａと、第２光トランスポンダ１５ｂとの間で通信品質の測定を行う場合について説明したが、同様にして、任意の光トランスポンダの間で通信品質の測定を行うことができる。また、複数の光トランスポンダのペアについて、同時に通信品質の測定を行うこともできるし、１つの光トランスポンダから送信された光信号を、複数の光トランスポンダで受信して、１対多の通信品質を測定することもできる。
【００５６】
次に、他の例として、他の光通信装置１０が備える光トランスポンダと、光通信装置１０が備える第１光トランスポンダ１５ａとの間で通信品質の測定を行う場合について説明する。他の光通信装置１０が備える光トランスポンダから出力された光信号は、光ファイバＦ（図１参照）によって伝送され、方路選択光スイッチ１２によって第１光スイッチ１６の複数の第１光スプリッタ１６ａのうちのいずれかに入力される。当該入力を受けた第１光スプリッタ１６ａは、光信号を複数の第５光スイッチ１６ｂに出力する。複数の第５光スイッチ１６ｂのうちの１つ（図４において最も右に図示された光スプリッタ）は、入力された光信号を第３光スイッチ１８に出力し、第３光スイッチ１８は、入力された光信号をノイズ付加部１４に出力する。ノイズ付加部１４は、入力された光信号に対して、信号品質を低下させるノイズを付加して、第４光スイッチ１６ｃに出力する。ノイズが付加された光信号は、第４光スイッチ１６ｃから複数の第５光スイッチ１６ｂのうちの１つ（同図において最も左に図示された光スイッチ）に伝送されて、当該第５光スイッチ１６ｂから第１光トランスポンダ１５ａに出力される。光通信装置１０のコントローラ１１は、他の光通信装置１０の備える光トランスポンダによって送信された光信号と、ノイズ付加部１４によって付加したノイズと、第１光トランスポンダ１５ａで受信した光信号とを比較して、通信品質に関する所定の基準に対してどの程度のマージンが確保できているかを測定し、他の光通信装置１０の備える光トランスポンダと第１光トランスポンダ１５ａとの間における通信品質の測定を行う。ここでは、他の光通信装置１０の備える光トランスポンダと第１光トランスポンダ１５ａとの間で通信品質の測定を行う場合について説明したが、同様にして、他の光通信装置１０の備える光トランスポンダと任意の光トランスポンダの間で通信品質の測定を行うことができる。また、複数の光トランスポンダのペアについて、同時に通信品質の測定を行うこともできるし、１つの光トランスポンダから送信された光信号を、複数の光トランスポンダで受信して、１対多の通信品質を測定することもできる。
【００５７】
本実施形態に係る光通信装置１０によれば、ノイズ付加部１４から第１光スイッチ１６に入力された光信号を、第４光スイッチ１６ｃから複数の第５光スイッチ１６ｂに振り分けることで、光スプリッタから複数の第５光スイッチ１６ｂに振り分ける場合よりも、光信号が光スプリッタを通過する回数を低減することができ、ノイズ付加部１４によるノイズ付加の許容量が増加する。そのため、２台以上の光通信装置１０にそれぞれ含まれる光トランスポンダ間の通信品質の測定に用いることのできるノイズ付加のマージンが増加し、通信品質の測定をより柔軟に行うことができる。
【００５８】
図５は、本発明の実施形態に係る光通信装置１０の構成の第４例を示す図である。本例の光通信装置１０は、第３光スイッチ１８を備えず、トランスポンダ集約光スイッチ１３の内部構成が異なる点で、第１例の場合と相違する。本例の第１光スイッチ１６は、外部及びノイズ付加部１４のいずれかから入力された光信号を、複数の光トランスポンダ及び第２光スイッチ１７のいずれかに出力し、第２光スイッチ１７は、複数の光トランスポンダ及び第１光スイッチ１６のいずれかから入力された光信号を、外部及びノイズ付加部１４のいずれかに出力する。また、本例の第１光スイッチ１６は、ノイズ付加部１４から入力された光信号を、選択された出力先に出力する第４光スイッチ１６ｃを含む。
【００５９】
本例では、第１光スイッチ１６は、外部から入力された光信号を分岐させる複数の第１光スプリッタ１６ａと、ノイズ付加部１４から入力された光信号を、選択された出力先に出力する第４光スイッチ１６ｃと、複数の第１光スプリッタ１６ａ及び第４光スイッチ１６ｃから入力された光信号を、複数の光トランスポンダ及び第２光スイッチ１７のいずれかに出力する複数の第５光スイッチ１６ｂと、を含む。複数の第１光スプリッタ１６ａは、同図において丸で図示され、外部から入力された光信号、すなわち、方路選択光スイッチ１２を介して外部接続された光ファイバＦから入力された光信号を、分岐させて複数の第５光スイッチ１６ｂに出力する。第４光スイッチ１６ｃは、同図において四角で図示される。複数の第５光スイッチ１６ｂは、同図において四角で図示され、入力された光信号を、対応する光トランスポンダ又は第２光スイッチ１７に対して出力する。ここで、複数の第５光スイッチ１６ｂは、コントローラ１１から受信する制御信号に基づいて、光信号を光トランスポンダ又は第２光スイッチ１７に対して出力したり、出力しなかったりする。このようにして、外部接続された光ファイバＦから入力された光信号を、第１光トランスポンダ１５ａ、第２光トランスポンダ１５ｂ、第３光トランスポンダ１５ｃ、第４光トランスポンダ１５ｄ及び第２光スイッチ１７に対して選択的に出力する。
【００６０】
本例では、第２光スイッチ１７は、複数の光トランスポンダ及び第１光スイッチ１６のいずれかから入力された光信号を、選択された出力先に出力する複数の第６光スイッチ１７ｂ及び第８光スイッチ１７ｃと、複数の第６光スイッチ１７ｂ及び第８光スイッチ１７ｃから入力された光信号を、外部及びノイズ付加部１４のいずれかに出力する複数の第２光スプリッタ１７ａと、を含む。複数の第６光スイッチ１７ｂ及び第８光スイッチ１７ｃは、同図において四角で図示され、第１光トランスポンダ１５ａ、第２光トランスポンダ１５ｂ、第３光トランスポンダ１５ｃ、第４光トランスポンダ１５ｄ及び第１光スイッチ１６のいずれかから入力された光信号を、コントローラ１１から受信する制御信号に基づいて、複数の第２光スプリッタ１７ａのいずれかに出力したり、出力しなかったりする。複数の第２光スプリッタ１７ａは、同図において丸で図示され、複数の第６光スイッチ１７ｂ及び第８光スイッチ１７ｃから入力された光信号を、方路選択光スイッチ１２及びノイズ付加部１４のいずれかに出力する。
【００６１】
一例として、光通信装置１０が備える第１光トランスポンダ１５ａと、第２光トランスポンダ１５ｂとの間で通信品質の測定を行う場合について説明する。第１光トランスポンダ１５ａから出力された光信号は、複数の第６光スイッチ１７ｂのうちの１つ（図５において左から２番目に図示された光スイッチ）に入力され、複数の第２光スプリッタ１７ａのうちの１つ（同図において最も左に図示された光スプリッタ）に伝送され、当該光スプリッタからノイズ付加部１４に入力される。ノイズ付加部１４は、入力された光信号に対して、信号品質を低下させるノイズを付加して、第４光スイッチ１６ｃに出力する。ノイズが付加された光信号は、第４光スイッチ１６ｃから複数の第５光スイッチ１６ｂのうちの１つ（同図において左から２番目に図示された光スイッチ）に伝送され、当該第５光スイッチ１６ｂから第２光トランスポンダ１５ｂに出力される。光通信装置１０のコントローラ１１は、第１光トランスポンダ１５ａによって送信した光信号と、ノイズ付加部１４によって付加したノイズと、第２光トランスポンダ１５ｂで受信した光信号とを比較して、通信品質に関する所定の基準に対してどの程度のマージンが確保できているかを測定し、第１光トランスポンダ１５ａと第２光トランスポンダ１５ｂとの間における通信品質の測定を行う。
【００６２】
次に、他の例として、他の光通信装置１０が備える光トランスポンダと、光通信装置１０が備える第１光トランスポンダ１５ａとの間で通信品質の測定を行う場合について説明する。他の光通信装置１０が備える光トランスポンダから出力された光信号は、光ファイバＦ（図１参照）によって伝送され、方路選択光スイッチ１２によって第１光スイッチ１６の複数の第１光スプリッタ１６ａのうちのいずれかに入力される。当該入力を受けた第１光スプリッタ１６ａは、光信号を複数の第５光スイッチ１６ｂに出力する。複数の第５光スイッチ１６ｂのうちの１つ（図５において最も右に図示された光スプリッタ）は、入力された光信号を第２光スイッチ１７に含まれる第８光スイッチ１７ｃに出力し、第８光スイッチ１７ｃは、入力された光信号を複数の第２光スプリッタ１７ａのうちの１つ（同図において最も左に図示された光スプリッタ）に出力する。光信号は、当該光スプリッタからノイズ付加部１４に入力され、ノイズ付加部１４は、入力された光信号に対して、信号品質を低下させるノイズを付加して、第４光スイッチ１６ｃに出力する。ノイズが付加された光信号は、第４光スイッチ１６ｃから複数の第５光スイッチ１６ｂのうちの１つ（同図において最も左に図示された光スイッチ）に伝送され、当該第５光スイッチ１６ｂから第１光トランスポンダ１５ａに出力される。光通信装置１０のコントローラ１１は、他の光通信装置１０の備える光トランスポンダによって送信された光信号と、ノイズ付加部１４によって付加したノイズと、第１光トランスポンダ１５ａで受信した光信号とを比較して、通信品質に関する所定の基準に対してどの程度のマージンが確保できているかを測定し、他の光通信装置１０の備える光トランスポンダと第１光トランスポンダ１５ａとの間における通信品質の測定を行う。ここでは、他の光通信装置１０の備える光トランスポンダと第１光トランスポンダ１５ａとの間で通信品質の測定を行う場合について説明したが、同様にして、他の光通信装置１０の備える光トランスポンダと任意の光トランスポンダの間で通信品質の測定を行うことができる。また、複数の光トランスポンダのペアについて、同時に通信品質の測定を行うこともできるし、１つの光トランスポンダから送信された光信号を、複数の光トランスポンダで受信して、１対多の通信品質を測定することもできる。
【００６３】
本実施形態に係る光通信装置１０によれば、第１光スイッチ１６が第２光スイッチ１７に光信号を出力することで、第１光スイッチ１６及び第２光スイッチ１７以外に独立した光スイッチを増設せずに、ノイズ付加部１４によって光信号にノイズを付加して光トランスポンダに伝送することができる。また、ノイズ付加部１４から第１光スイッチ１６に入力された光信号を、第４光スイッチ１６ｃから複数の第５光スイッチ１６ｂに振り分けることで、光スプリッタから複数の第５光スイッチ１６ｂに振り分ける場合よりも、光信号が光スプリッタを通過する回数を低減することができ、ノイズ付加部１４によるノイズ付加の許容量が増加する。そのため、２台以上の光通信装置にそれぞれ含まれる光トランスポンダ間の通信品質の測定に用いることのできるノイズ付加のマージンが増加し、通信品質の測定をより柔軟に行うことができる。
【００６４】
図６は、本発明の実施形態に係る光通信装置１０の構成の第５例を示す図である。本例の光通信装置１０は、第３光スイッチ１８を備えず、トランスポンダ集約光スイッチ１３の内部構成が異なる点で、第１例の場合と相違する。本例の第１光スイッチ１６は、外部及びノイズ付加部１４のいずれかから入力された光信号を、複数の光トランスポンダ及び第２光スイッチ１７のいずれかに出力し、第２光スイッチ１７は、複数の光トランスポンダ及び第１光スイッチ１６のいずれかから入力された光信号を、外部及びノイズ付加部１４のいずれかに出力する。また、本例の第１光スイッチ１６は、ノイズ付加部１４から入力された光信号を、選択された出力先に出力する第４光スイッチ１６ｃを含む。また、本例の第２光スイッチ１７は、複数の第６光スイッチ１７ｂから入力された光信号を、ノイズ付加部１４に出力する第７光スイッチ１７ｄを含む。
【００６５】
本例では、第１光スイッチ１６は、外部から入力された光信号を分岐させる複数の第１光スプリッタ１６ａと、ノイズ付加部１４から入力された光信号を、選択された出力先に出力する第４光スイッチ１６ｃと、複数の第１光スプリッタ１６ａ及び第４光スイッチ１６ｃから入力された光信号を、複数の光トランスポンダ及び第２光スイッチ１７のいずれかに出力する複数の第５光スイッチ１６ｂと、を含む。複数の第１光スプリッタ１６ａは、同図において丸で図示され、外部から入力された光信号、すなわち、方路選択光スイッチ１２を介して外部接続された光ファイバＦ（図１参照）から入力された光信号を、分岐させて複数の第５光スイッチ１６ｂに出力する。第４光スイッチ１６ｃは、図６において四角で図示される。複数の第５光スイッチ１６ｂは、同図において四角で図示され、入力された光信号を、対応する光トランスポンダ又は第２光スイッチ１７に対して出力する。ここで、複数の第５光スイッチ１６ｂは、コントローラ１１から受信する制御信号に基づいて、光信号を光トランスポンダ又は第２光スイッチ１７に対して出力したり、出力しなかったりする。このようにして、外部接続された光ファイバＦから入力された光信号を、第１光トランスポンダ１５ａ、第２光トランスポンダ１５ｂ、第３光トランスポンダ１５ｃ、第４光トランスポンダ１５ｄ及び第２光スイッチ１７に対して選択的に出力する。
【００６６】
本例では、第２光スイッチ１７は、複数の光トランスポンダ及び第１光スイッチ１６のいずれかから入力された光信号を、選択された出力先に出力する複数の第６光スイッチ１７ｂ及び第８光スイッチ１７ｃと、複数の第６光スイッチ１７ｂ及び第８光スイッチ１７ｃから入力された光信号を、外部に出力する複数の第２光スプリッタ１７ａと、複数の第６光スイッチ１７ｂ及び第８光スイッチ１７ｃから入力された光信号を、ノイズ付加部１４に出力する第７光スイッチ１７ｄと、を含む。複数の第６光スイッチ１７ｂ及び第８光スイッチ１７ｃは、同図において四角で図示され、第１光トランスポンダ１５ａ、第２光トランスポンダ１５ｂ、第３光トランスポンダ１５ｃ、第４光トランスポンダ１５ｄ及び第１光スイッチ１６のいずれかから入力された光信号を、コントローラ１１から受信する制御信号に基づいて、複数の第２光スプリッタ１７ａ及び第７光スイッチ１７ｄのいずれかに出力したり、出力しなかったりする。複数の第２光スプリッタ１７ａは、同図において丸で図示され、複数の第６光スイッチ１７ｂ及び第８光スイッチ１７ｃから入力された光信号を、方路選択光スイッチ１２に出力する。第７光スイッチ１７ｄは、同図において四角で図示され、複数の第６光スイッチ１７ｂ及び第８光スイッチ１７ｃから入力された光信号を、ノイズ付加部１４に出力する。
【００６７】
一例として、光通信装置１０が備える第１光トランスポンダ１５ａと、第２光トランスポンダ１５ｂとの間で通信品質の測定を行う場合について説明する。第１光トランスポンダ１５ａから出力された光信号は、複数の第６光スイッチ１７ｂのうちの１つ（同図において左から２番目に図示された光スイッチ）に入力され、第７光スイッチ１７ｄに伝送され、第７光スイッチ１７ｄからノイズ付加部１４に入力される。ノイズ付加部１４は、入力された光信号に対して、信号品質を低下させるノイズを付加して、第４光スイッチ１６ｃに出力する。ノイズが付加された光信号は、第４光スイッチ１６ｃから複数の第５光スイッチ１６ｂのうちの１つ（同図において左から２番目に図示された光スイッチ）に伝送され、当該第５光スイッチ１６ｂから第２光トランスポンダ１５ｂに出力される。光通信装置１０のコントローラ１１は、第１光トランスポンダ１５ａによって送信した光信号と、ノイズ付加部１４によって付加したノイズと、第２光トランスポンダ１５ｂで受信した光信号とを比較して、通信品質に関する所定の基準に対してどの程度のマージンが確保できているかを測定し、第１光トランスポンダ１５ａと第２光トランスポンダ１５ｂとの間における通信品質の測定を行う。
【００６８】
次に、他の例として、他の光通信装置１０が備える光トランスポンダと、光通信装置１０が備える第１光トランスポンダ１５ａとの間で通信品質の測定を行う場合について説明する。他の光通信装置１０が備える光トランスポンダから出力された光信号は、光ファイバＦ（図１参照）によって伝送され、方路選択光スイッチ１２によって第１光スイッチ１６の複数の第１光スプリッタ１６ａのうちのいずれかに入力される。当該入力を受けた第１光スプリッタ１６ａは、光信号を複数の第５光スイッチ１６ｂに出力する。複数の第５光スイッチ１６ｂのうちの１つ（図６において最も右に図示された光スプリッタ）は、入力された光信号を第２光スイッチ１７に含まれる第８光スイッチ１７ｃに出力し、第８光スイッチ１７ｃは、入力された光信号を第７光スイッチ１７ｄに出力する。光信号は、第７光スイッチ１７ｄからノイズ付加部１４に入力され、ノイズ付加部１４は、入力された光信号に対して、信号品質を低下させるノイズを付加して、第４光スイッチ１６ｃに出力する。ノイズが付加された光信号は、第４光スイッチ１６ｃから複数の第５光スイッチ１６ｂのうちの１つ（同図において最も左に図示された光スイッチ）に伝送され、当該第５光スイッチ１６ｂから第１光トランスポンダ１５ａに出力される。光通信装置１０のコントローラ１１は、他の光通信装置１０の備える光トランスポンダによって送信された光信号と、ノイズ付加部１４によって付加したノイズと、第１光トランスポンダ１５ａで受信した光信号とを比較して、通信品質に関する所定の基準に対してどの程度のマージンが確保できているかを測定し、他の光通信装置１０の備える光トランスポンダと第１光トランスポンダ１５ａとの間における通信品質の測定を行う。ここでは、他の光通信装置１０の備える光トランスポンダと第１光トランスポンダ１５ａとの間で通信品質の測定を行う場合について説明したが、同様にして、他の光通信装置１０の備える光トランスポンダと任意の光トランスポンダの間で通信品質の測定を行うことができる。また、複数の光トランスポンダのペアについて、同時に通信品質の測定を行うこともできるし、１つの光トランスポンダから送信された光信号を、複数の光トランスポンダで受信して、１対多の通信品質を測定することもできる。
【００６９】
本実施形態に係る光通信装置１０によれば、光トランスポンダから第２光スイッチ１７に入力された光信号を、第７光スイッチ１７ｄからノイズ付加部１４に伝送することで、第２光スプリッタ１７ａからノイズ付加部１４に伝送する場合よりも、光信号が光スプリッタを通過する回数を低減することができ、ノイズ付加部１４によるノイズ付加の許容量が増加する。そのため、２台以上の光通信装置１０にそれぞれ含まれる光トランスポンダ間の通信品質の測定に用いることのできるノイズ付加のマージンが増加し、通信品質の測定をより柔軟に行うことができる。
【００７０】
以上説明した光通信装置１０の構成の第１例から第５例は、方路選択光スイッチ１２と接続するトランスポンダ集約光スイッチ１３のポートが光スプリッタを備えているため、ノイズ付加部１４を通過しない光信号に対し、Ｃ／Ｄ／Ｃ（Colorless, Directionless, and Contentionless）接続機能を損なわない。
【００７１】
図７は、本発明の実施形態に係るマネジメント装置１００の機能ブロックを示す図である。マネジメント装置１００は、通信部１０１、記憶部１０２、算出部１０３、推定部１０４及び抽出部１０５を備える。通信部１０１は、通信インターフェースによって構成され、光通信装置１０のコントローラ１１に対して光信号を伝送する経路の設定情報を送信したり、コントローラ１１から通信品質の測定結果に関する情報を受信したりする。記憶部１０２は、複数の光トランスポンダのうち通信品質の測定が既に行われている光トランスポンダの種類の組合せを、当該組合せに関する通信品質の測定結果とともに記憶する。算出部１０３は、２台の光通信装置１０の一方（以下、第１光通信装置と呼ぶ。）から他方（以下、第２光通信装置と呼ぶ。）へ光信号を伝送する場合における経路の伝送特性を算出する。推定部１０４は、第１光通信装置の光トランスポンダと第２光通信装置の光トランスポンダの組合せが、通信品質の測定が既に行われている光トランスポンダの種類の組合せである場合に、記憶部１０２に記憶された通信品質の測定結果と、算出部１０３により算出された伝送特性とに基づいて通信品質を推定する。抽出部１０５は、複数の光トランスポンダのうち通信品質の測定が行われていない光トランスポンダの種類の組合せを抽出する。算出部１０３、推定部１０４及び抽出部１０５は、マネジメント装置１００の備えるプロセッサによって実現される機能部である。
【００７２】
図８は、本発明の実施形態に係る光通信システム１により実行される第１処理のフローチャートである。第１処理は、光通信システム１に含まれる１台の光通信装置１０及びマネジメント装置１００によって実行される処理であり、光通信装置１０の備える複数の光トランスポンダ間の通信品質を測定する処理である。光通信装置１０は、複数の光トランスポンダのうち２つの光トランスポンダの一方から他方に、ノイズ付加部１４を通るように光信号を伝送して、通信品質を測定した測定結果をマネジメント装置１００に通知する。
【００７３】
はじめに、光通信装置１０は、光通信装置１０の備える複数の光トランスポンダのうち通信品質を測定する光トランスポンダの組み合わせを設定する（Ｓ１１）。ここで、通信品質を測定する光トランスポンダの組み合わせは、複数の光トランスポンダのなかから２台の光トランスポンダを選ぶ組み合わせであってよく、光通信装置１０がＮ台の光トランスポンダを備える場合、可能な組み合わせは最大でＮ（Ｎ−１）／２通りである。なお、通信品質を測定する光トランスポンダの組み合わせの設定は、マネジメント装置１００により行われてもよい。
【００７４】
次に、光通信装置１０は、通信品質を測定する光トランスポンダの組み合わせに関して、伝送される光信号が少なくとも一度ノイズ付加部１４を通るように光信号の伝送パスを設定する（Ｓ１２）。伝送パスの設定は、トランスポンダ集約光スイッチ１３に含まれる第１光スイッチ１６や第２光スイッチ１７に対する制御信号の設定により行われる。なお、光信号の伝送パスの設定は、マネジメント装置１００により行われてもよい。
【００７５】
光通信装置１０は、設定された光トランスポンダのペアに関して、設定された光信号の伝送パスで光信号を送受信して、当該光トランスポンダペアについて通信品質を測定してコントローラ１１のメモリに保存する（Ｓ１３）。その後、通信品質を測定する光トランスポンダの組み合わせが残されているか否か判断する（Ｓ１４）。通信品質を測定する光トランスポンダの組み合わせが残されている場合（Ｓ１４：Ｙｅｓ）、光トランスポンダの組み合わせの設定を更新し（Ｓ１５）、新たに光信号の伝送パスを設定して（Ｓ１２）、通信品質を測定してコントローラ１１のメモリに保存する（Ｓ１３）。
【００７６】
一方、通信品質を測定する光トランスポンダの組み合わせが残されていない場合（Ｓ１４：Ｎｏ）、マネジメント装置１００（ＮＭＳ）に通信品質の測定結果をまとめて通知する（Ｓ１６）。マネジメント装置１００は、通信品質の測定結果を、測定対象となった光トランスポンダの組み合わせと関連付けて記憶部１０２に記憶する。以上により第１処理が終了する。
【００７７】
本実施形態に係る光通信システム１によれば、光通信装置１０が備える複数の光トランスポンダ間の通信品質を測定した測定結果をマネジメント装置１００によってまとめて管理することができ、他の光通信装置１０において同様の光トランスポンダ間に関する通信品質の確認が要求された場合に、測定結果を流用して通信品質の確認を効率化することができる。また、伝送パスの設定や通信品質の測定等の一連の処理を光通信装置１０によって自律的に行うことで、マネジメント装置１００に大きな処理負荷及び通信負荷をかけずに、通信品質をオンデマンドで測定することができる。
【００７８】
図９は、本発明の実施形態に係る光通信システム１により実行される第２処理のフローチャートである。第２処理は、光通信システム１に含まれる２台の光通信装置１０及びマネジメント装置１００によって実行される処理であり、２台の光通信装置１０がそれぞれ備える複数の光トランスポンダ間の通信品質を測定する処理である。以下では、通信品質を測定する２台の光通信装置１０の一方を第１光通信装置と称し、他方を第２光通信装置と称する。第１光通信装置は、複数の光トランスポンダのうちいずれかから第２光通信装置に光信号を送信し、第２光通信装置は、当該光信号を、ノイズ付加部１４を通るように伝送し、複数の光トランスポンダのうちいずれかによって受信し、第１光通信装置及び第２光通信装置は、通信品質を測定した測定結果をそれぞれマネジメント装置１００に通知する。
【００７９】
はじめに、マネジメント装置１００は、光通信システム１の通信ネットワークに含まれる光通信装置１０の組み合わせを設定する（Ｓ２１）。ここで、通信品質を測定する光通信装置１０の組み合わせは、通信ネットワークに含まれる複数の光通信装置１０のなかから２台の光通信装置１０を選ぶ組み合わせであってよく、通信ネットワークがＮ台の光通信装置１０を含む場合、可能な組み合わせは最大でＮ（Ｎ−１）／２通りである。
【００８０】
次に、第１光通信装置及び第２光通信装置は、通信品質を測定する第１光通信装置及び第２光通信装置それぞれが備える複数の光トランスポンダのうち通信品質を測定する光トランスポンダの組み合わせを設定する（Ｓ２２）。なお、通信品質を測定する光トランスポンダの組み合わせの設定は、マネジメント装置１００により行われてもよい。
【００８１】
マネジメント装置１００は、第１光通信装置と第２光通信装置の間に介在する他の光通信装置１０の方路選択光スイッチ１２を制御して、第１光通信装置から第２光通信装置に光信号が伝送されるように、光信号の伝送パスを設定する。また、第１光通信装置及び第２光通信装置は、通信品質を測定する光トランスポンダのペアに関して、伝送される光信号が少なくとも一度ノイズ付加部１４を通るように光信号の伝送パスを設定する（Ｓ２３）。ここで、伝送パスは、受信側である第２光通信装置においてノイズ付加部１４を通るように設定してよい。
【００８２】
第１光通信装置及び第２光通信装置は、設定された光トランスポンダのペアに関して、設定された光信号の伝送パスで光信号を送受信して、当該光トランスポンダペアについて通信品質を測定して、それぞれのコントローラ１１のメモリに保存する（Ｓ２４）。その後、通信品質を測定する光トランスポンダの組み合わせが残されているか否か判断する（Ｓ２５）。通信品質を測定する光トランスポンダの組み合わせが残されている場合（Ｓ２５：Ｙｅｓ）、光トランスポンダの組み合わせの設定を更新し（Ｓ２６）、新たに光信号の伝送パスを設定して（Ｓ２３）、通信品質を測定してコントローラ１１のメモリに保存する（Ｓ２４）。なお、通信品質の測定は、双方向で行ってもよいし、一方向で行ってもよい。光トランスポンダの組み合わせの設定を更新する際には、更新のタイミングをマネジメント装置１００から第１光通信装置及び第２光通信装置に通知してもよいし、予め第１光通信装置及び第２光通信装置についてマスター装置とスレーブ装置の関係を定めてマスター装置からスレーブ装置に更新のタイミングを通知するようにしてもよい。
【００８３】
一方、通信品質を測定する光トランスポンダの組み合わせが残されていない場合（Ｓ２５：Ｎｏ）、第１光通信装置及び第２光通信装置は、マネジメント装置１００（ＮＭＳ）に通信品質の測定結果をまとめて通知する（Ｓ２７）。マネジメント装置１００は、通信品質の測定結果を、測定対象となった光トランスポンダの組み合わせと関連付けて記憶部１０２に記憶する。以上により第２処理が終了する。
【００８４】
本実施形態に係る光通信システム１によれば、光通信装置１０のペアがそれぞれ備える複数の光トランスポンダ間の通信品質を測定した測定結果をマネジメント装置１００によってまとめて管理することができ、他の光通信装置１０のペアにおいて同様の光トランスポンダ間に関する通信品質の確認が要求された場合に、測定結果を流用して通信品質の確認を効率化することができる。また、送信側の光通信装置１０においてノイズを付加する場合と比較して、受信側の光通信装置１０においてノイズを付加することで、送信側の光通信装置１０からノイズの付加量等の情報を受信側の光通信装置１０に伝送する必要がなくなるため、通信品質の測定処理を簡素化できる。
【００８５】
図１０は、本発明の実施形態に係る光通信システム１により実行される第３処理のフローチャートである。第３処理は、光通信システム１に含まれる２台の光通信装置１０及びマネジメント装置１００によって実行される処理であり、２台の光通信装置１０がそれぞれ備える複数の光トランスポンダについて、測定対象とする光トランスポンダのペアを２台の光通信装置１０によって自律的に更新して、通信品質を測定する処理である。以下では、通信品質を測定する２台の光通信装置１０の一方を第１光通信装置と称し、他方を第２光通信装置と称する。第１光通信装置及び第２光通信装置は、通信品質を測定する複数の光トランスポンダの組合せを、予め定められた周期で更新して、それぞれ通信品質の測定を行い、第１光通信装置及び第２光通信装置は、通信品質を測定した測定結果をそれぞれマネジメント装置１００に通知する。
【００８６】
はじめに、マネジメント装置１００は、通信品質を測定する更新周期を設定する（Ｓ３１）。更新周期は、通信品質を測定する光トランスポンダのペアを更新する周期であり、任意の時間周期とすることができる。なお、更新周期は、光通信装置１０によって設定されてもよい。
【００８７】
次に、マネジメント装置１００は、光通信システム１の通信ネットワークに含まれる光通信装置１０の組み合わせを設定する（Ｓ３２）。設定対象となった第１光通信装置及び第２光通信装置は、それぞれが備える複数の光トランスポンダのうち通信品質を測定する光トランスポンダの組み合わせを設定する（Ｓ３３）。なお、通信品質を測定する光トランスポンダの組み合わせの設定は、マネジメント装置１００により行われてもよい。
【００８８】
マネジメント装置１００は、第１光通信装置と第２光通信装置の間に介在する他の光通信装置１０の方路選択光スイッチ１２を制御して、第１光通信装置から第２光通信装置に光信号が伝送されるように、光信号の伝送パスを設定する。また、第１光通信装置及び第２光通信装置は、通信品質を測定する光トランスポンダのペアに関して、伝送される光信号が少なくとも一度ノイズ付加部１４を通るように光信号の伝送パスを設定する（Ｓ３４）。ここで、伝送パスは、受信側である第２光通信装置においてノイズ付加部１４を通るように設定してよい。
【００８９】
第１光通信装置及び第２光通信装置は、設定された光トランスポンダのペアに関して、設定された光信号の伝送パスで光信号を送受信して、当該光トランスポンダペアについて通信品質を測定して、それぞれのコントローラ１１のメモリに保存する（Ｓ３５）。その後、通信品質を測定する光トランスポンダの組み合わせが残されているか否か判断する（Ｓ３６）。通信品質を測定する光トランスポンダの組み合わせが残されている場合（Ｓ３６：Ｙｅｓ）、第１光通信装置及び第２光通信装置は、更新周期に従って光トランスポンダの組み合わせの設定を更新し（Ｓ３７）、更新して設定された光トランスポンダのペアに関して、伝送される光信号が少なくとも一度ノイズ付加部１４を通るように光信号の伝送パスを設定する（Ｓ３４）。そして、通信品質を測定してコントローラ１１のメモリに保存する（Ｓ３５）。
【００９０】
一方、通信品質を測定する光トランスポンダの組み合わせが残されていない場合（Ｓ３６：Ｎｏ）、第１光通信装置及び第２光通信装置は、マネジメント装置１００（ＮＭＳ）に通信品質の測定結果をまとめて通知する（Ｓ３８）。マネジメント装置１００は、通信品質の測定結果を、測定対象となった光トランスポンダの組み合わせと関連付けて記憶部１０２に記憶する。なお、第１光通信装置及び第２光通信装置は、測定結果をマネジメント装置１００に通知する前に、所定の基準に従って、測定結果をスクリーニングして、所定の基準を満たす測定結果をマネジメント装置１００に通知することとしてもよい。以上により第３処理が終了する。
【００９１】
本実施形態に係る光通信システム１によれば、光通信装置１０のペアがそれぞれ自律的に通信品質を測定する光トランスポンダのペアの更新を行い、測定結果をまとめてマネジメント装置１００に通知することで、マネジメント装置１００の処理負荷及び通信負荷を軽減することができる。また、第１光通信装置及び第２光通信装置によって通信品質の測定結果をスクリーニングしてマネジメント装置１００に通知することで、マネジメント装置１００によって処理すべき情報量が削減され、マネジメント装置１００の演算負荷や通信負荷を抑制することができる。
【００９２】
図１１は、本発明の実施形態に係る光通信システム１により実行される第４処理のフローチャートである。第４処理は、光通信システム１に含まれる２台の光通信装置１０及びマネジメント装置１００によって実行される処理であり、２台の光通信装置１０がそれぞれ備える複数の光トランスポンダについて、所定の通信品質を確保することが可能か否かを判断し、判断結果に基づいて光信号の伝送パスを設定する（又は設定しない）処理である。以下では、通信品質を測定する２台の光通信装置１０の一方を第１光通信装置と称し、他方を第２光通信装置と称する。
【００９３】
はじめに、マネジメント装置１００は、光通信システム１に含まれる２台の光通信装置１０（第１光通信装置及び第２光通信装置）から、接続要求を受け付ける（Ｓ４１）。そして、第１光通信装置及び第２光通信装置が備える複数の光トランスポンダについて、既に通信品質を測定している光トランスポンダの種類の組み合わせを、接続可能な光トランスポンダの組み合わせとして抽出する（Ｓ４２）。
【００９４】
次に、マネジメント装置１００は、算出部１０３によって、第１光通信装置と第２光通信装置の間に介在する他の光通信装置１０及び光ファイバＦの伝送特性に基づいて、第１光通信装置から第２光通信装置へ光信号を伝送する場合における経路の伝送特性を算出する（Ｓ４３）。さらに、マネジメント装置１００は、推定部１０４によって、記憶部１０２に記憶された光トランスポンダペアの通信品質の測定結果と、算出部１０３により算出された伝送特性とに基づいて、光トランスポンダペアの通信品質を推定する（Ｓ４４）。
【００９５】
マネジメント装置１００は、推定された通信品質に基づいて、当該光トランスポンダのペアによって所定の通信品質を満足する通信が行えるか否かを判断し、第１光通信装置及び第２光通信装置は接続可能か否かを判断する（Ｓ４５）。ここで接続可能と判断された場合（Ｓ４５：Ｙｅｓ）、マネジメント装置１００は、第１光通信装置と第２光通信装置の間に介在する他の光通信装置１０の方路選択光スイッチ１２を制御して、第１光通信装置から第２光通信装置に光信号が伝送されるように、光信号の伝送パスを設定する。
【００９６】
一方、通信品質の推定対象となった光トランスポンダのペアについて、接続可能でないと判断された場合（Ｓ４５：Ｎｏ）、未検討の光トランスポンダの組み合わせが存在するか否かを判断する（Ｓ４６）。未検討の光トランスポンダの組み合わせが存在する場合（Ｓ４６：Ｙｅｓ）、算出部１０３による伝送パスの伝送特性の算出（Ｓ４３）、推定部１０４による通信品質の推定を行い（Ｓ４４）、第１光通信装置及び第２光通信装置は接続可能か否かを判断する（Ｓ４５）。なお、伝送パスの伝送特性に実質的な変化が無い場合、算出部１０３による伝送特性の算出は省略して、算出済みの伝送特性を用いることとしてもよい。
【００９７】
通信品質の推定対象となった光トランスポンダのペアについて、接続可能でないと判断された場合であって（Ｓ４５：Ｎｏ）、未検討の光トランスポンダの組み合わせが存在しないと判断された場合（Ｓ４６：Ｎｏ）、マネジメント装置１００は、第１光通信装置と第２光通信装置の間では、所定の通信品質を満足する伝送パスを設定することができないことを示す情報を出力する（Ｓ４９）。以上により第４処理が終了する。
【００９８】
本実施形態に係る光通信システム１によれば、通信品質の測定が既に行われている光トランスポンダの種類の組み合わせが、通信品質の測定を行った際と異なるネットワーク構造を介して接続されている場合であっても、通信品質の推定を行うことができる。そのため、異なるネットワーク構造毎に通信品質の測定を行わずともよく、通信品質の測定処理を実行する回数を低減することができ、光通信装置１０及びマネジメント装置１００の演算負荷や通信負荷を低減することができる。
【００９９】
図１２は、本発明の実施形態に係る光通信システム１により実行される第５処理のフローチャートである。第５処理は、光通信システム１に含まれる２台の光通信装置１０及びマネジメント装置１００によって実行される処理であり、複数の光トランスポンダのうち通信品質の測定が行われていない光トランスポンダの種類の組合せを抽出し、抽出された光トランスポンダのペアについて通信品質の測定を行う処理である。以下では、通信品質を測定する２台の光通信装置１０の一方を第１光通信装置と称し、他方を第２光通信装置と称する。
【０１００】
はじめに、マネジメント装置１００は、抽出部１０５によって、複数の光トランスポンダのうち通信品質の測定が行われていない光トランスポンダの種類の組合せを抽出する（Ｓ５１）。なお、通信品質の測定が行われていない光トランスポンダの種類の組合せが存在しない場合、第５処理を終了してよい（Ｓ５２：Ｎｏ）。
【０１０１】
通信品質の測定が行われていない光トランスポンダの種類の組合せが存在する場合（Ｓ５２：Ｙｅｓ）、マネジメント装置１００は、通信品質の測定が行われていない光トランスポンダの組み合わせを備える第１光通信装置及び第２光通信装置を探索する（Ｓ５３）。なお、１台の光通信装置１０が通信品質の測定が行われていない光トランスポンダの組合せを含む場合、マネジメント装置１００は、１台の光通信装置１０を探索すればよい。
【０１０２】
次に、マネジメント装置１００は、探索された第１光通信装置及び第２光通信装置が備える、通信品質の測定が行われていない光トランスポンダのペアの間に光信号を伝送するように、第１光通信装置と第２光通信装置の間に介在する他の光通信装置１０の方路選択光スイッチ１２を制御して、第１光通信装置から第２光通信装置に光信号の伝送パスを設定し、第１光通信装置及び第２光通信装置は、当該光トランスポンダのペアによって光信号の送受信がされるように、伝送パスを設定する。ここで、受信側の第２光通信装置のノイズ付加部１４を通るように伝送パスを設定してよい。
【０１０３】
第１光通信装置及び第２光通信装置は、設定された伝送パスによって、当該光トランスポンダのペアについて通信品質の測定を行い、マネジメント装置１００に測定結果を通知する。マネジメント装置１００は、測定結果を、当該光トランスポンダのペアと関連付けて記憶部１０２に記憶する（Ｓ５６）。さらに、通信品質の測定が行われていない光トランスポンダの種類の組合せが存在するか否かを判断して（Ｓ５２）、通信品質の測定が行われていない光トランスポンダの種類の組合せが存在しなくなるまで測定処理を繰り返す。以上により第５処理が終了する。
【０１０４】
本実施形態に係る光通信システム１によれば、通信品質の測定が行われていない光トランスポンダの種類の組み合わせを減少させることができ、通信品質の推定を行うことのできる光トランスポンダの種類の組み合わせを増加させることができるため、通信品質の測定処理を実行する回数を低減することができ、光通信装置１０及びマネジメント装置１００の演算負荷や通信負荷を低減することができる。
【０１０５】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【０１０６】
１…光通信システム、１０…光通信装置、１１…コントローラ、１２…方路選択光スイッチ、１３…トランスポンダ集約光スイッチ、１４…ノイズ付加部、１５…トランスポンダバンク、１５ａ…第１光トランスポンダ、１５ｂ…第２光トランスポンダ、１５ｃ…第３光トランスポンダ、１５ｄ…第４光トランスポンダ、１６…第１光スイッチ、１６ａ…第１光スプリッタ、１６ｂ…第５光スイッチ、１６ｃ…第４光スイッチ、１７…第２光スイッチ、１７ａ…第２光スプリッタ、１７ｂ…第６光スイッチ、１７ｃ…第８光スイッチ、１７ｄ…第７光スイッチ、１８…第３光スイッチ、１００…マネジメント装置、１０１…通信部、１０２…記憶部、１０３…算出部、１０４…推定部、Ｆ…光ファイバ
【図１】
2018181944.tif 000003
【図２】
2018181944.tif 000004
【図３】
2018181944.tif 000005
【図４】
2018181944.tif 000006
【図５】
2018181944.tif 000007
【図６】
2018181944.tif 000008
【図７】
2018181944.tif 000009
【図８】
2018181944.tif 000010
【図９】
2018181944.tif 000011
【図１０】
2018181944.tif 000012
【図１１】
2018181944.tif 000013
【図１２】
2018181944.tif 000014
【国際調査報告】
2018181944.tif 000015
2018181944.tif 000016
2018181944.tif 000017